(57)【要約】【課題】  尿道カテーテルを使用している患者が陰部の湿り気の問題を訴えたような時には、この状態を容易に改善することが出来るようにする。【解決手段】  本発明は、尿道カテーテルや、Ｔ字帯やおむつなどの医療用下着と共に用いられるものであるが、中ほどに尿道カテーテルを通す孔が開いている吸収性物品である。更に、尿道カテーテルの抜き差しを行わずとも交換することが出来るようにした、縁部から中ほどにかけて尿道カテーテルを通す切れ込みが開いている吸収性物品である。【選択図】            図１
2014217484.tif 000002
【特許請求の範囲】
【請求項１】
平たく、中ほどに尿道カテーテルを通す孔が開いている、吸収性物品。
【請求項２】
平たく、縁部から中ほどにかけて尿道カテーテルを通す切れ込みが開いている、吸収性物品。
【請求項３】
前記切れ込みが非直線状である、請求項２に記載の吸収性物品。
【請求項４】
前記切れ込みを覆う部材を有する、請求項２に記載の吸収性物品。
【請求項５】
互いに、相手側の吸収性物品の前記切れ込みを覆う部位、を有する１対から成る、請求項２に記載の吸収性物品。
【請求項６】
前記切れ込みを閉じる部材を有する、請求項２に記載の吸収性物品。
【請求項７】
折り返して使用するための折り返し部を備えておりその折り返し部が前記縁部である、請求項２に記載の吸収性物品。
【請求項８】
身体の側に、またはおむつやＴ字帯の側に、仮接着するための接着部を有する、請求項１または請求項２に記載の吸収性物品。
【請求項９】
複数枚の吸収性物品を１枚ずつ分離し得るようにして冊子状に綴じて成る、請求項１または請求項２に記載の吸収性物品。
【請求項１０】
Ｔ字帯や紙おむつなどの医療用下着を開いて陰部を露わにし、請求項１または請求項２に記載の平たい前記吸収性物品を、前記孔や前記切れ込みに尿道カテーテルを通すようにして、乾いたものに交換し陰部に宛がう吸収性物品の装着方法。
【発明の詳細な説明】
【技術分野】
【０００１】
本発明は尿道カテーテルと共に用いる吸収性物品とその装着方法に関する。膀胱に尿道カテーテルが処置されている場合を対象としているため、本発明は尿を取るためのものではない。
【背景技術】
【０００２】
尿漏れによる蒸れを軽減すべく、特開２０１１−２１４１６７号のような、陰茎を収めるための袋状の部屋を設けて、陰茎と陰嚢の接触が最小限となるように仕切るようにした男性用下着が提案されている。また特開平１１−３４２１４５号や特開平１１−０７６２８４号のような、中央に陰茎を通す孔を開けた尿とりパッドが提案されている。また特開平１１−０７６２８４号では図６を用いて過去の技術が紹介されているが、これはサック型に組み立てた後、男性外性器を包み込むように被せて装着するものである。何れも立体の袋状に仕立ててこの奥や底に陰茎を向けることで尿を受け溜めようとするものである。
【０００３】
一方、手術後の排尿が困難な患者の導尿のために、尿道口から膀胱に細い管を通す処置が行われている。長期留置のためにバルーンカテーテルが用いられることもある。このような処置の上からＴ字帯や紙おむつ（Ｔ字帯付き紙おむつと言うものもある）などの医療用下着が着用され、尿道カテーテルはこの医療用下着の太股の開口部などから外部に引き出される。上記紙おむつは使い捨てであるが、Ｔ字帯は汚れたら洗濯して何度でも繰り返し使用するものが一般的である。
【先行技術文献】
【特許文献】
【０００４】
【特許文献１】特開２０１１−２１４１６７号公報
【特許文献２】特開平１１−３４２１４５号公報
【特許文献３】特開平１１−０７６２８４号公報
【非特許文献】
【０００５】
【非特許文献１】”尿道カテーテル”[online]、[平成２５年４月１９日検索]、インターネット<URL:http://ja.wikipedia.org/wiki/尿道カテーテル>
【発明の概要】
【発明が解決しようとする課題】
【０００６】
ただでさえ陰部は蒸れを帯びやすい身体部位である。また尿道カテーテルの脇から尿が漏れて紙おむつやＴ字帯を汚してしまうこともある。蒸れるにしても濡れるにしても自身のケアがままならない患者にとって実に気持ちが悪いものである。これを快適な状態にしてやるには、早い段階でＴ字帯や紙おむつなどを取り替えて陰部の湿り気の問題を軽減させる必要がある。しかしながら現実には看護する側の手間の問題や経済的な負担の問題などがあって、そのまま放って置かれることが多い。
【０００７】
本発明は、カテーテルを使用している患者が陰部の湿り気の問題を訴えたような場合には、この状態を容易に改善して上げられるようにすることを課題とする。
【課題を解決するための手段】
【０００８】
上記課題の解決に当り当発明者は、Ｔ字帯や紙おむつなどを乾いたものに取り替えるのではなく、陰部とＴ字帯や紙おむつなどとの間に、新たに紙や布などの素材に成るパッドやライナーと言った吸収性物品を介在させるようにすること、これを乾いたものに交換させるようにすること、を新たに行うようにすれば良いと言う知見を得た。尿を取るのではなく、蒸れや尿の漏れを受ける吸収性物品を、尿を取ることが出来るものと陰部との間に介在させるのである。Ｔ字帯や紙おむつなどの更に内側に尿を取るものとしてのインナーを重ねて使用する場合では、陰部と尿を取るインナーとの間に新たに吸収性物品を介在させて、これを乾いたものに交換させるようにすれば良い。これならば患者の腰を浮かせてＴ字帯や紙おむつやインナーなどを交換するよりもはるかに容易であり安価である。この作業であれば頻繁に行うことが可能である。またＴ字帯を洗濯すると言うような面倒な作業を行う頻度を少なくすることが出来る。しかしながらこれを実際に試して見ると、患者の陰部には尿道カテーテルが挿通されており、尿道カテーテルが邪魔をして従来のパッドやライナーと言った吸収性物品を用いることは出来ない、と言う新たな問題を生ずることが分かった。
【０００９】
そこで当発明者は、平たい吸収性物品であり且つ中ほどに尿道カテーテルを通す孔が開いている吸収性物品を提供することにより上記課題を解決した。吸収性物品のこの孔は、女性用では文字通り尿道カテーテルを通す孔である。これに対して男性用では尿道カテーテルを挿通する陰茎と陰嚢とを通す孔であるが、これも実質的に尿道カテーテルを通す孔に違いない。患者に尿道カテーテルを処置する際に、上記の孔に尿道カテーテルを通すようにして、患者の陰部に吸収性物品を宛がうようにする。尿道カテーテルはこの吸収性物品の外に取り出される。そして交換の必要を生じたら尿道カテーテルを患者から抜いて乾いた吸収性物品に交換するのである。女性患者の場合、尿道カテーテルの抜き差しは尿道の長い男性患者よりも容易である。なお本発明の吸収性物品は、一緒に用いるおむつやＴ字帯などと比べると小さい分取り扱いが楽であると共に安価である。頻繁に取り替えたとしても比較的高価な紙おむつを交換するよりはずいぶんと経済的であり、Ｔ字帯を洗濯すると言うような面倒な作業を行う頻度を少なくすることが出来る。なお手術後の排尿が困難な患者のみならず、尿道カテーテルを着けて日常生活を送っている人にとっても、本発明の吸収性物品は役に立つものとなっている。
【００１０】
女性用には尿道カテーテルを通す孔が開いているのに対して男性用では陰茎と陰嚢とを通す孔が開いている。女性は内性器であるのに対して男性は外性器である。本発明は内性器に対してはその表面を覆うことになるので、平たくて、尿道カテーテルを通す孔が開けられたものとなっている。外性器に対しては陰茎と陰嚢とを吸収性物品の外方に出す孔が開けられている。患者は仰向けになった状態であるから、陰茎と陰嚢とは上記孔から外に出されると本発明の平たい吸収性物品の上に、恰も載せたような、盛られたような状態になる。従って平たい吸収性物品が陰茎や陰嚢と、腹部（股部を含む）とを隔てて、両者が張り付かないようにしてくれるし、孔から取り出した陰茎と陰嚢とを平たい吸収性物品上で展開すれば、陰茎の陰嚢への張り付きも起こりにくくなる。この陰茎や陰嚢の上に尿を取るものとしてのＴ字帯や紙おむつなどの医療用下着が着用される。
【００１１】
なお本発明の吸収性物品の縁部から前記中ほどに掛けて、手で切り裂くと後記切れ込みとなるミシン目を付けたものを提供することが出来る。ミシン目を切り裂いたものは次に述べる請求項２の発明となる。
【００１２】
そこで次に請求項２の発明に付いて述べる。これによれば尿道カテーテルの抜き差しを行わずに吸収性物品を交換するようにすることが可能である。すなわち、平たい吸収性物品であり且つ縁部から中ほどにかけて尿道カテーテルを通す切れ込みが開いている吸収性物品を提供すれば良い。切れ込みの幅は任意である。また前記中ほどに尿道カテーテルの直径程度の孔があるようにしても良い。男性用では尿道カテーテルを挿通する陰茎と陰嚢とを通す孔であるが、これも実質的に尿道カテーテルを通す孔に違いない。これであれば尿道カテーテルの抜き差しを行うことなく、すなわち尿道カテーテルを膀胱に通したままの状態でも、上記切れ込みで尿道カテーテルを避けて、尿道カテーテルの周りの部位に宛がうようにしたり（尿道カテーテルはこの吸収性物品を貫いてその外に取り出されることになる）、乾いた吸収性物品に容易に交換したりすることが出来るので、患者の負担が少なく看護する側の手間もより小さなものとなる。本発明の吸収性物品は一緒に用いるＴ字帯や紙おむつなどと比べると小さくて取り扱いが楽であり、また安価でもある。頻繁に取り替えたとしても比較的高価な紙おむつを交換するよりはずいぶんと経済的であり、Ｔ字帯を洗濯すると言うような面倒な作業を行う頻度を少なくすることが出来る。なお本発明の吸収性物品は手術後の排尿が困難な患者のみならず、尿道カテーテルを着けて生活している人にとっても重宝されるものである。
【００１３】
本発明の吸収性物品は女性用のものと男性用のものとで違いがあるが、これに付いては尿道カテーテルの抜き差しを行わずに交換し得る点を除けば、請求項１の発明で説明したこととほぼ同じである。本発明の吸収性物品は平たいものであるため、特に男性用は対象が外性器ゆえに、宛がう時に陰茎や陰嚢をどのように処理すれば良いかが問題であった。そこで当発明者は陰茎と陰嚢との付け根のくびれ部分に着目した。上記中ほどの孔は陰部のくびれ部分が抜けるほどの大きさであると都合が良い。これは上述した請求項１の男性用の吸収性物品でも同様であった。また上記切れ込みは上記くびれ部分を通した後にくびれ部分に引っ掛かり止まるようであると都合が良い。上記中ほどの孔との関係からすると上記切れ込みは言わば狭窄部である。こうして男性用の吸収性物品では、陰茎を包むものではなく、陰茎や陰嚢と腹部との間に入って両者を隔て、陰茎などを言わば受けるものとなったのである。ベタベタとした湿り気は、男性の場合は陰茎や陰嚢の腹部への張り付きや、陰茎の陰嚢への張り付きとなって現れやすいが、本発明によって陰茎や陰嚢まわりの蒸れや濡れによる気持ちの悪さがずいぶんと改善される。
【００１４】
さて、請求項１の発明でも請求項２の発明でも、上記吸収性物品の素材には天然の紙や布が用いられるが、合成樹脂製であっても良い。また吸収性物品は平たいものでありさえすれば、一枚ものであっても、層構造のものであっても良い。綿状の素材や気泡を有する素材を用いることも可能である。また内部に高吸水性ポリマーのような吸水して戻さない素材を有するものであっても良い。しかしながら頻繁に容易に交換し得ると言う本発明の特性を活かせば、蒸れてきた、少し塗らして汚した程度でも取り替えて良いものであるから、高吸水性ポリマーのような素材は必須ではない。また使い捨てのものも、洗って乾かすことで再利用し得るようなものも提供可能である。何れにせよ陰部の湿り気を低減出来るものであれば良く、肌に触れて心地良いものであればなお良い。要するに本発明の吸収性物品は、平たくあればその素材などに特に限定はなく、尿道カテーテルと、Ｔ字帯や紙おむつなどの医療用下着と共に用いられ、中ほどに尿道カテーテルを通す孔が開いているかまたは縁部から中ほどにかけて尿道カテーテルを通す切れ込みが開いている構成のものである。
【００１５】
次に、上記切れ込みが開いている吸収性物品に関して、切れ込みが非直線状であるものとすることが出来る。非直線状とは例えば波状のことである。患者が身体を動かすなどして吸収性物品にずれの力が加わるような場合でも、切れ込みが直線状であるものよりも非直線状であるものの方が、吸収性物品がその切れ込みから尿道カテーテルを抜けて外れてしまうような問題を生じにくい。
【００１６】
また上記切れ込みが開いている吸収性物品に関して、前記切れ込みを覆う部材を有するものとすることが出来る。その部材によって切れ込みが覆われていることによって、吸収性物品がその切れ込みから尿道カテーテルを抜けて外れることがなくなる。これはあたかも上述した中ほどに尿道カテーテルを通す孔が開いている吸収性物品と同じようである。吸収性物品の交換の際には上記切れ込みを覆う部材による覆いを解いて、切れ込みを露わにするようにすれば良い。なお好ましくは切れ込みを覆う部材が身体に接触する側に来るように使用する。
【００１７】
また上記切れ込みが開いている吸収性物品に関し、互いに、相手側の吸収性物品の前記切れ込みを覆う部位、を有する１対から成るものとすることが出来る。１対の吸収性物品は別体のものとしても、上記切れ込みを覆う部位以外の部位で一体化されたものとしても提供可能である。互いの部材で相手側の切れ込みを覆い合うため、尿道カテーテルは切れ込みに沿って抜けることが出来なくなる。この吸収性物品の交換の際には互いの上記切れ込みを覆う部材による覆いを解き合って双方の切れ込みを露わにするようにすれば良い。なお何れの切れ込みも股方向に略直交する方向に形成されている場合では、切れ込みが股部分に沿う方向に形成されている場合に比して見た目にも違和感を感じにくい。
【００１８】
また上記切れ込みが開いている吸収性物品に関して、前記切れ込みを閉じる部材を有するものとすることが出来る。その部材によって切れ込みが閉じられることにより、吸収性物品がその切れ込みから尿道カテーテルを抜けて外れることがなくなる。
【００１９】
また上記切れ込みが開いている吸収性物品に関して、折り返して使用するための折り返し部を備えており、その折り返し部が前記縁部であるものとすることが出来る。すなわち折り返し部から中ほどにかけて尿道カテーテルを通す切れ込みが開いている吸収性物品である。単片に開けられた切れ込みよりも折り返した部位に開けられた切れ込みの方がその強度が増す。特に男性用の吸収性物品に付いては、この折り返した部位から上記中ほどに向けて陰茎と陰嚢とを通し、更にその先方に、尿道カテーテルが処置された陰茎を展開することになる。この際に上記切れ込みは、上記中ほどの孔との関係から狭窄部としてここを通した陰茎と陰嚢とのくびれ部分に引っ掛かり止める役目を担っているが、ここが折り返しにより強度を増していることは好ましいことである。
【００２０】
さて、上記孔が開いている吸収性物品に関しても上記切れ込みが開いている吸収性物品に関しても、身体の側に、またはおむつやＴ字帯の側に、仮接着するための接着部を有するものとすることが出来る。これにより吸収性物品を身体の側にまたはおむつやＴ字帯の側に固定することが出来る。なお上記切れ込みが開いている吸収性物品に関しては、身体の側やおむつやＴ字帯の側に仮接着することによって、実質的に切れ込みを閉じる効果を生ずる。
【００２１】
また上記孔が開いている吸収性物品に関しても上記切れ込みが開いている吸収性物品に関しても、複数枚の吸収性物品を１枚ずつ分離し得るようにして冊子状に綴じて成るものとすることが出来る。これは恰も冊子状のメモ用紙のようであり、上から１枚ずつ片手で取ることも可能になるので、病院のように忙しく立ち働く環境での使用にも便利である。また包装の観点からは、吸収性物品の１枚１枚を個別に包装する場合よりも多数枚を１つにまとめて包装する場合の方が有利である。なお冊子状にするための綴じ方は自由であるが、粘着剤で隣り合うもの同士を接着して綴じるものでは、冊子から取った１枚に残っている上記粘着剤を利用して、身体の側に、またはおむつやＴ字帯の側に、仮接着させ得るように設計することが出来る。また上記切れ込みが開いている吸収性物品を冊子状に綴じるものでは、上記粘着剤を上記切れ込みが開いている縁部側に設けることで、上述したように実質的に切れ込みを閉じることに利用し得る。なおこれ等は請求項１の発明で、縁部から中ほどに掛けて、手で切り裂くと上記切れ込みとなるミシン目を付けたものに付いても適用可能である。
【発明の効果】
【００２２】
本発明の吸収性物品を新たに尿道カテーテルと共に用いるようにするのであるが、この吸収性物品を患者の陰部に宛がったり交換したりする作業はとても楽である。従って尿道カテーテルを使用している患者が陰部の湿り気の問題を訴えたような場合には、この状態を容易に改善して上げることが出来ると言う効果を奏する。
【図面の簡単な説明】
【００２３】
【図１】実施例１（女性用）の説明図である。
【図２】実施例２（男性用）の説明図である
【図３】実施例３（女性用）の説明図である。
【図４】実施例４（女性用）の説明図である。
【図５】実施例５（女性用）の説明図である。
【図６】実施例５（女性用）の使用状態の説明図である。
【図７】実施例６（女性用）の説明図である。
【図８】実施例６（女性用）の使用状態の説明図である。
【図９】実施例７（女性用）の説明図である。
【図１０】実施例８（女性用）の説明図である。
【図１１】実施例９（女性用）の説明図である。
【図１２】実施例１０（男性用）の説明図である。
【図１３】実施例１１（男性用）の説明図である。
【図１４】実施例１２（男性用）の説明図である。
【発明を実施するための形態】
【００２４】
以下では１２の実施例を説明するが、本発明はこれ等の実施例に限定されるものではなく、任意の設計変更が可能である。
【実施例１】
【００２５】
図１は女性用の吸収性物品であって、尿道カテーテル用のパッドや尿道カテーテル用のライナーと呼ぶことが出来る。略長円形の吸い取り紙１の中ほどに尿道カテーテルＣを通す孔１０を開孔して成る。図１では孔１０が吸い取り紙１の左右方向の中央より幾分図の左側に偏った部位に設けられたものとして表されている。これは図の右側を尻側に位置するものとして図の左側の尿道側よりも広く取る設計としたからである。なお左側の縁部から中ほどにかけて手で千切れるようなミシン目１３を入れた構成とすることにより、請求項２の発明の実施例とすることが可能である。何となればミシン目１３から千切ることで尿道カテーテルＣを通す切れ込みを開けたことになるからである。また身体の側にまたはおむつやＴ字帯の側に、仮接着するための接着部１４を有するものとしても便利である。
【００２６】
本実施例の吸収性物品は、上記尿道カテーテルＣやＴ字帯やおむつなどの医療用下着と共に用いられる。すなわち尿道カテーテルＣを尿道に処置する際に吸い取り紙１の孔１０に尿道カテーテルＣを挿通する。平たい吸い取り紙１を陰部に宛がい、これをＴ字帯や紙おむつなどの医療用下着を閉じて覆う。従って吸い取り紙１が陰部を覆うため陰部が直接に医療用下着に触れることはない。尿道カテーテルＣは医療用下着の太股の開口部などから外部に引き出される。次にこの吸収性物品を取り替えたいと思ったならば、医療用下着を開きこの吸収性物品を乾いたものに交換して陰部に宛がうようにする。このようにこの吸収性物品の交換は比較的高価な紙おむつを交換するよりは大幅に経済的である。頻繁に取り替えることが出来る。またＴ字帯を着替えて洗濯すると言うような面倒な作業を行う頻度を少なくすることが出来る。
【実施例２】
【００２７】
図２は男性用の吸収性物品であって、吸い取り布１１の形状は図２で表すように展開した陰茎Ｐと陰嚢Ｓとを受けるのに適したものであり、その中ほどに、尿道カテーテルＣを処置する陰茎Ｐと、陰嚢Ｓとを通す陰部通し孔１２を開孔して成る。この陰部通し孔１２は陰茎Ｐと陰嚢Ｓとの付け根のくびれ部分を通し得る径のものであれば良い。なお縁部から陰部通し孔７１にかけて手で千切れるようなミシン目１３を入れた構成とすることにより請求項２の発明の実施例とすることが可能である。何となればミシン目１３から千切ることで尿道カテーテルＣを処置した陰茎Ｐと陰嚢Ｓとを通すための陰部通し孔１２に通ずる切れ込みを開けたことになるからである。また仮接着のための接着部１４を有するものとしても良い。
【００２８】
本実施例の吸収性物品は陰茎Ｐを包むものではなく、言わば陰茎Ｐなどを受けるものである。陰茎Ｐと陰嚢Ｓとは陰部通し孔１２より取り出されて、陰茎Ｐや陰嚢Ｓの腹部への接触が最小限となる。図２のように陰茎Ｐと陰嚢Ｓとを離すようにしてＴ字帯やおむつなどの医療用下着を着用すれば良い。これにより陰部の蒸れや濡れや、陰部のベタベタとした湿り気による陰部間の張り付きが軽減される。なお尿道カテーテルＣは医療用下着の胴回りの開口部などから外部に引き出されることになる。
【実施例３】
【００２９】
図３は女性用の吸収性物品であって、尿道カテーテル用のパッドや尿道カテーテル用のライナーと呼ぶことが出来るものである。すなわちライナー２は略長円形の不織布の股の間に位置する部位を狭く形成したものであり、図３で表すように左側の縁部から中ほどにかけて尿道カテーテルＣを通す切れ込み２０を開けて成る。切れ込み２０の幅は任意であって、後述する図４のように比較的幅の広いものもあれば、本実施例のライナー２のように切れ込み２０を付ける刃の幅程度のものもある。また本実施例ではこの切れ込み２０の前記中ほどの端部に、尿道カテーテルＣの直径程度の端部孔２１を設けているが、端部孔２１がなくとも尿道カテーテルＣを避けることは可能である。なおライナー２の周縁部や切れ込み２０や端部孔２１に沿って切断面の綻びが起こりにくいようにするための圧着部が設けられている。
【００３０】
本実施例のライナー２は、上記尿道カテーテルＣやＴ字帯やおむつなどの医療用下着と共に用いられるものである。上記切れ込み２０は尿道カテーテルＣを避けることが出来るので、尿道カテーテルＣの尿道への抜き差しを行うことなく、すなわち尿道カテーテルＣを膀胱に付けたままの状態で、ライナー２を尿道カテーテルＣの周りの陰部に宛がうようにして乾いたライナー２に交換することが容易である。
【実施例４】
【００３１】
図４は女性用の吸収性物品であって、略長円形の吸い取り紙２２の左側の縁部から中ほどにかけて尿道カテーテルＣを通すも尿道カテーテルＣの直径よりは幾分細めの切れ込み２３を開け、この切れ込み２３の前記中ほどの端部に尿道カテーテルＣの直径程度の端部孔２４を設けて成る。なお上記切れ込み２３を直線状ではなく波状のものとした。
【００３２】
患者が身体を動かすなどして、吸い取り紙２２にずれの力が加わるような場合であっても、波状の切れ込み２３自体が尿道カテーテルＣの抜けに対して障害となり、吸い取り紙２２が陰部から外れにくいものとなる効果を奏する。
【実施例５】
【００３３】
図５は女性用のライナー３であり、略長円形の不織布製のライナー３の左側の縁部から中ほどにかけて尿道カテーテルＣを通すも尿道カテーテルＣの直径よりは幾分細めの切れ込み３０を開け、この切れ込み３０の前記中ほどの端部に、尿道カテーテルＣの直径程度の端部孔３１を設けると共に、上記切れ込み３０に平行するライナー３の一側部に、切れ込み３０を覆い得る（端部孔３１は覆わない）大きさの不織布製のフラップ３２を、折り目３３から折り曲げ自在と成るように取り付けて成るものである。
【００３４】
この使用法であるが、図６で表すように交換したいとする乾いたライナー３を上記切れ込み３０を使って端部孔３１に尿道カテーテルＣが来るように位置合わせした後に、上記フラップ３２を折り目３３から折り込んで切れ込み３０を覆うようにし、フラップ３２の部位で陰部に宛がうようにする。本実施例によればフラップ３２で切れ込み３０が閉じられたことになるため、ライナー３がその切れ込み３０から尿道カテーテルＣを抜けて外れることがほぼなくなる。逆に申せば尿道カテーテルＣは端部孔３１の部位に止まることになる。次に乾いたライナー３に交換するには、フラップ３２を開いて切れ込み３０を露わにするようにすれば良い。なお図５でフラップ３２の右方にフラップ３２とは別体のフラップ３０１を設けて、全体としてライナー３とは外形がほぼ同形状のものとしても良い。あるいはフラップ３２の代わりに、ライナー３と外形がほぼ同形状で、側縁部（図５では下側縁部）から中ほどにかけて尿道カテーテルＣを通す切れ込み３０２のあるものを用いるようにしても良い。
【実施例６】
【００３５】
図７は女性用のライナーであり、２つのライナー３４，３７を上下に重ね合わせて各々の一端部の接着部３００にて一体化したものである。この重ね合わせの状態から図７では上側のライナー３７を開いた状態を表す。各々のライナー３４，３７に付いて、ライナー３４では側縁部の一側（図７での上側）から中ほどにかけて尿道カテーテルＣを通す切れ込み３５が設けられているが、ライナー３７では側縁部の他側（図７での右側）から中ほどにかけて尿道カテーテルＣを通す切れ込み３８が設けられている。なお切れ込み３５の前記中ほどの端部に尿道カテーテルＣの直径程度の端部孔３６が、切れ込み３８の前記中ほどの端部に尿道カテーテルＣの直径程度の端部孔３９が設けられており、端部孔３６，３９は図８で表す使用時に一致するように設計されている。ライナー３４，３７の各々の周縁部や切れ込み３５，３８や端部孔３６，３９に沿って、切断面の綻びが起こりにくくするための圧着部が設けられている。
【００３６】
本実施例の使用法は図８で表す通りであり、ライナー３４，３７を尿道カテーテルＣを避けるようにして陰部に装着するに当たり、ライナー３４の切れ込み３５とライナー３７の切れ込み３８とを互いに差し込み合うようにして、ライナー３４，３７の重ね合わせを一体化させる。この重ねあわせの状態は表裏どちらから見ても互いのライナーで相手側の切れ込みを覆った状態であり、ただ尿道カテーテルＣを通している端部孔３６，３９だけが開いている状態である。従って尿道カテーテルＣは切れ込み３５，３８に沿って抜けることが出来なくなる。この状態を解くには、切れ込み３５，３８を引き離して、ライナー３４，３７同士の覆いを解き合い、双方の切れ込み３５，３８を露わにするようにすれば良い。なおライナー３４，３７同士の重なり合いを解いても、ライナー３４，３７は上記接着部３００で繋がっている。
【実施例７】
【００３７】
図９は女性用のライナーであり、２つのライナー４，４は折り目４０を境にして、長手方向に連なるようにして形成されたものである。また２つのライナー４，４を折り目４０から折り重ねた時の上記折り目４０を縁部として、各々のライナー４には折り目４０から中ほどにかけて尿道カテーテルＣを通す切れ込み４１が開けられている。切れ込み４１の前記中ほどの端部に尿道カテーテルＣの直径程度の端部孔４２が設けられている。２つのライナー４，４の尿道カテーテルＣを通す切れ込み４１，４１は一本に繋がっている。なおライナー４，４の周縁部や切れ込み４１や端部孔４２に沿って切断面の綻びが起こりにくいようにするための圧着部が設けられている。
【００３８】
実施例３のライナー２は単片のものであるが、本実施例のライナー４，４は折り目４０から折り重ねられると２枚重なりになるものである。本実施例は２枚重ねで使用される。従って単片に開けられた切れ込みよりも、折り目４０で折り返した部位に開けられた切れ込み４１の方が、その強度を増すわけである。
【実施例８】
【００３９】
図１０は女性用のライナー５であり、左側の縁部から中ほどにかけて尿道カテーテルＣを通す切れ込み５０を開け、この切れ込み５０の前記中ほどの端部に、尿道カテーテルＣの直径程度の端部孔５１を設けたものであるが、更にこのライナー５のＴ字帯やおむつなどの医療用下着に接する側に、医療用下着に仮接着するための粘着部５２を形成したことを特徴としている。なお粘着部５２の上には図示しない剥離紙を設けると良いが、複数枚のライナー５を重ねることにより、互いに隣り合うライナー５の粘着部５２に対する剥離紙の役目を担い得るように設計しても良い。なおライナー５は図示しないが複層構造となっており、内部に高吸水性ポリマーによる吸水性素材を有している。これには生理用品のライナーあるいはパッドや、紙おむつなどの構成が参考になる。
【００４０】
この粘着部５２を以てライナー５を医療用下着に仮接着固定させることが出来る。この接着によって切れ込み５０の周辺部も医療用下着に固定されるため、切れ込み５０が実質的に閉じられたことになる。なお粘着部５２は、ライナー５の身体に接する側に、身体に仮接着させるためのものとして形成することも可能である。この場合も身体への接着により切れ込み５０の周辺部を固定して切れ込み５０を閉じた状態にすることが出来る。なお例えば後述する実施例１０〜１２のような男性用の吸収性物品に付いても、身体に接する側に、あるいは医療用下着に接する側に仮接着するための粘着部を設けるように設計することが可能である。
【実施例９】
【００４１】
図１１は女性用として供されるライナー６０の冊子６である。１枚１枚のライナー６０には、図１１の右側の縁部から中ほどにかけて尿道カテーテルを通す切れ込み６１が開けられており、この切れ込み６１の前記中ほどの端部に、尿道カテーテルの直径程度の端部孔６２が設けられたものであるが、更にこのライナー６０の複数枚が、右側の上記縁部近辺の裏面に設けられた粘着部６３によって互いに接着して束ねられ冊子６となっている。なおこの一番下は台紙である。
【００４２】
この冊子６から一番上のライナー６０部分を剥離して分離することで、実施例８のライナー５のような使い方が出来る。すなわち剥離したライナー６０の裏面の粘着部６３は、ライナー５の粘着部５２と同様の作用効果を発揮する。特に本実施例のような冊子６は、取り扱いに面倒が少なく病院のように忙しく立ち働く環境での使用に便利である。
【実施例１０】
【００４３】
さて図１２は男性用のライナー７である。この形状は平たく、図１２で表すように展開した陰茎Ｐと陰嚢Ｓとを受けるのに適したものである。右側の縁部から中ほどにかけて尿道カテーテルＣが処置された陰茎Ｐと、陰嚢Ｓとを通す切れ込み７１が開けられており、その中ほどには陰茎Ｐと陰嚢Ｓとの付け根のくびれ部分が納まる陰部通し孔７０が開孔されている。上記切れ込み７１は、陰部通し孔７０との関係に於いて狭窄部であり、陰茎Ｐと陰嚢Ｓとを通した後にこのくびれ部分に引っ掛かり止まるように設計されている。
【００４４】
本実施例のライナー７は、上記尿道カテーテルＣやＴ字帯やおむつなどの医療用下着と共に用いられるものである。尿道カテーテルＣを膀胱に通したままの状態でも、上記切れ込み７１で尿道カテーテルＣを避けて（陰茎Ｐと陰嚢Ｓとを避けて）、腹部に宛がうようにして乾いたライナー７に交換することが容易に行えるため、頻繁に交換することに抵抗がなくなっている。本実施例のライナー７は、尿を取るべく陰茎Ｐを包むものではなく、陰部の蒸れや尿の漏れを受けて、陰部のベタベタとした湿り気による陰部間の張り付きを軽減すべく、陰茎Ｐや陰嚢Ｓと腹部との間に入って両者を隔てるものである。陰茎Ｐと陰嚢Ｓとは陰部通し孔７０から外に取り出され、ライナー７の上に、恰も載せたような盛られたような状態になる。また陰部通し孔７０から取り出した陰茎Ｐと陰嚢Ｓとをライナー７上で展開すれば、陰茎Ｐの陰嚢Ｓへの張り付きも起こりにくくなる。この陰茎Ｐや陰嚢Ｓの上に尿を取るものとしてのＴ字帯や紙おむつなどの医療用下着が着用される。
【実施例１１】
【００４５】
図１３は男性用の吸収性物品であり、実施例７の女性用のライナー（図９参照）に類似する構成のものである。２つの吸い取り紙８，８は折り目８４を境にして、長手方向に連なるようにして形成されたものである。吸い取り紙８，８の形状は、図１３で表すように展開した陰茎Ｐと陰嚢Ｓとを受けるのに適したものである。また２つの吸い取り紙８，８を折り目８４から折り重ねた時の上記折り目８４を縁部として、双方の吸い取り紙８，８は共に折り目８４から中ほどにかけて、陰茎Ｐと陰嚢Ｓとを通す切れ込み８３が開けられているも、その中ほどは、折り目８２とその両側のミシン目８１，８１が付けられて、両側のミシン目８１，８１を切れ込み８３の方向に破ると共に折り目８２から折り返すことで、フラップ８０となり、このフラップ８０が抜けた部位が陰茎Ｐと陰嚢Ｓとの付け根部分が納まる所の陰部通し孔となるように構成されている。
【００４６】
本実施例の用い方であるが、吸い取り紙８，８のミシン目８１，８１を切れ込み８３の方向に破ると共に折り目８２から折り返すことでフラップ８０が抜けた跡である陰部通し孔を作り、吸い取り紙８，８を折り目８４から折り重ねると、恰も図１２で表した実施例１０の一枚物のようになるし、あるいは恰も図９で表した実施例７の２枚重ねで使用する女性用のライナーと同じようになる。従って単片に開けられた切れ込みよりも、上記折り目８４で折り返した部位に開けられた切れ込み８３の方が強度が高く、こうして形成された狭窄部は、陰茎Ｐと陰嚢Ｓとを通した後にこのくびれ部分で引っ掛かり、陰茎Ｐと陰嚢Ｓとの周りに止まろうとする力がより増している。そこで尿道カテーテルＣが処置されている陰茎Ｐと陰嚢Ｓとをフラップ８０が抜けた跡である陰部通し孔より取り出して、陰茎Ｐや陰嚢Ｓの腹部への接触を最小限に抑えるようにする。この際には図１３のように陰茎Ｐと陰嚢Ｓとを展べ離すようにすると良い。
【実施例１２】
【００４７】
図１４は男性用の吸収性物品であって、フェルト布９の形状は図１４で表すように展開した陰茎Ｐと陰嚢Ｓとを受けるのに適したものであり、その中ほどには、尿道カテーテルＣを処置する陰茎Ｐと陰嚢Ｓとを通すための陰部通し孔９０が開孔されており、縁部からこの陰部通し孔９０にかけて、陰部通し孔９０に通ずる切れ込み９１が設けられている。更にこの切れ込み９１の上記中ほどに至る部位には、切れ込み９１を閉じる部材として、一側に面ファスナー９２を他側に面ファスナー９３を備えている。面ファスナー９７２がオスであれば面ファスナー９３はメスであり、その逆もまた然りである。なお上記閉じる部材として、面ファスナー以外の例えば粘着部を設ける設計も可能である。
【００４８】
尿道カテーテルＣが処置されている陰茎Ｐと、陰嚢Ｓとは、上記切れ込み９１を抜けるようにして陰部通し孔９０より取り出されて、陰茎Ｐや陰嚢Ｓの腹部への接触が最小限となる。この際に切れ込み９１の両側の部位を重ねるようにして、一側の面ファスナー９２と他側の面ファスナー９３とを接着させることによって切れ込み９１が陰部通し孔９０の所で閉じられ、すなわち陰部通し孔９０が閉じられるため、尿道カテーテルＣが処置された陰茎Ｐと陰嚢Ｓとが陰部通し孔９０を抜けることがなくなるのである。
【００４９】
本発明の他の実施形態として、本発明が素材とする紙や布にタルカムパウダーを付着させたものとしても良い。また本発明とＴ字帯やおむつなどの医療用下着との組みものとしても提供することが出来る。
【産業上の利用可能性】
【００５０】
本発明には静脈などに適用する輸液チューブと共に用いるものとしての可能性がある。
【符号の説明】
【００５１】
１…吸い取り紙、１０…孔、１１…吸い取り布、１２…陰部通し孔、１３…ミシン目、１４…粘着部
２…ライナー、２０…切れ込み、２１…端部孔、２２…吸い取り紙、２３…切れ込み、２４…端部孔、
３…ライナー、３０…切れ込み、３１…端部孔、３２…フラップ、３３…折り目、３４…ライナー、３５…切れ込み、３６…端部孔、３７…ライナー、３８…切れ込み、３９…端部孔、３００…接着部、３０１…フラップ、３０２……切れ込み、
４…ライナー、４０…折り目、４１…切れ込み、４２…端部孔、
５…ライナー、５０…切れ込み、５１…端部孔、５２…粘着部、
６…冊子、６０…ライナー、６１…切れ込み、６２…端部孔、６３…粘着部
７…ライナー、７０…陰部通し孔、７１…切れ込み
８…吸い取り紙、８０…フラップ（陰部通し孔）、８１…ミシン目、８２…折り目、
８３…切れ込み、８４…折り目
９…フェルト布、９０…陰部通し孔、９１…切れ込み、９２…面ファスナー、９３…面ファスナー
【図１】
2014217484.tif 000003
【図２】
2014217484.tif 000004
【図３】
2014217484.tif 000005
【図４】
2014217484.tif 000006
【図５】
2014217484.tif 000007
【図６】
2014217484.tif 000008
【図７】
2014217484.tif 000009
【図８】
2014217484.tif 000010
【図９】
2014217484.tif 000011
【図１０】
2014217484.tif 000012
【図１１】
2014217484.tif 000013
【図１２】
2014217484.tif 000014
【図１３】
2014217484.tif 000015
【図１４】
2014217484.tif 000016